(57)【特許請求の範囲】
【請求項１】
車体等に付着した粘着物を剥離除去する粘着物剥離除去装置であって、回転駆動手段により回転される取り付け軸と、少なくとも片面に粘着面が形成されたテープ素材をロール状に巻くことにより形成された粘着テープよりなり、かつ前記回転駆動手段により回転させた状態で外周面を剥離すべき粘着物に押し当てることにより発生する摩擦熱により前記粘着物を軟化させ、同時に前記粘着テープと前記粘着物との摩擦力により削り取られた前記粘着物を前記粘着テープの粘着面により前記粘着テープの削りカスと結合させて、固まりとした状態で前記粘着物を剥離する剥離部材と、前記取り付け軸に前記剥離部材を着脱自在に取り付ける剥離部材取り付け手段とを具備したことを特徴とする粘着物剥離除去装置。
【請求項２】
剥離部材に、耐熱性を有するマスキングテープや、布テープ等を使用してなる請求項１に記載の粘着物剥離除去装置。
【発明の詳細な説明】
【技術分野】
【０００１】
本発明は自動車の車体等に付着した粘着物を効率よく剥離除去する粘着物剥離除去装置に関する。
【背景技術】
【０００２】
従来自動車の車体には、粘着剤等の粘着物によりステッカや各種内外装材が接着されている。
これらステッカや内外装材は、車体を修理したり、再塗装する場合邪魔になるため、車体より剥離したり取り外しているが、これらステッカや、内外装材を取り外した後の粘着物を手作業で除去するには、多くの時間と労力を必要とするため作業率が大変悪い等の問題がある。
【０００３】
かかる問題を改善するため、例えば特許文献１で、車体等に接着されたステッカ等を剥離除去する粘着剤剥離用回転ロールが提案されている。
前記特許文献１の粘着剤剥離用回転口一ルは、表面に弾性力と耐摩耗性を有するロール状の本体を、電気グラインダやエアグラインダにより回転させて剥離対象面に圧着することにより、剥離対象面側の粘着剤を摩擦熱で軟化させて剥離除去するように構成されている。
【特許文献１】実公平８−９１４３号公報
【発明の開示】
【発明が解決しようとする課題】
【０００４】
しかし前記公報の粘着剤剥離用回転ロールは、ロール状の本体がゴムまたは合成樹脂により形成されたソリッド構造のため、剥離対象面に本体を庄接させると、本体と剥離対象面との摩擦により本体が摩耗して多量の摩耗粉が発生する。
この摩耗粉は微粉末のため、ロール状の本体が回転するのに伴い周囲へ飛散して作業環境を悪化させることから、作業鍍率を低下させる原因となると共に、飛散した摩耗粉が作業者の目や鼻、口から体内に侵入するため、作業者の健康を損ねる等の問題がある。
【０００５】
本発明はかかる従来の問題点を改善するためになされたもので、微粉末の摩耗粉が周囲に飛散することがない粘着物の剥離除去装置を提供することを目的とするものである。
【課題を解決するための手段】
【０００６】
本発明の粘着物剥離除去装置は、車体等に付着した粘着物を剥離除去する粘着物剥離除去装置であって、回転駆動手段により回転される取り付け軸と、少なくとも片面に粘着面が形成されたテープ素材をロール状に巻くことにより形成された粘着テープよりなり、かつ回転駆動手段により回転させた状態で外周面を剥離すべき粘着物に押し当てることにより発生する摩擦熱により粘着物を軟化させ、同時に粘着テープと粘着物との摩擦力により削り取られた粘着物を粘着テープの粘着面により粘着テープの削りカスと結合させて、固まりとした状態で粘着物を剥離する剥離部材と、取り付け軸に剥離部材を着脱自在に取り付ける剥離部材取り付け手段から構成したものである。
【０００７】
前記構成により、電動ドリルやエアドリルのような回転駆動手段により取り付け軸を回転させて、剥離部材の外周面を剥離すべきステッカや、車体に固着した粘着物に押し当てることにより、ステッカや粘着物と剥離部材の間に摩擦熱が発生してステッカの接着剤や粘着物を軟化させ、同時に摩擦力により粘着テープの粘着面が接着剤や粘着物と結合して車体より剥離することができるため、車体に粘着したステッカや、車体に固着した粘着物を能率よく剥離することができる。
また剥離されたステッカや粘着物は、テープの削りカスと共に固まりとなって脱落するため、従来のゴムや樹脂により形成されたローラにより剥離する場合と異なり、微細な摩耗粉が周囲に飛散することがなく、これによって作業環境が悪化することにより作業能率を低下させたり、飛散した摩耗粉が作業者の目や鼻、口から体内に侵入して作業者の健康を損ねる等の従来の問題を解消することができる。
【０００８】
本発明の粘着物剥離除去装置は、剥離部材に、耐熱性を有するマスキングテープや、布テープ等を使用したものである。
【０００９】
前記構成により、消耗品である剥離部材が安価に得られるようになる。
【発明の効果】
【００１０】
本発明の粘着物剥離除去装置によれば、車体に粘着したステッカや、車体に固着した粘着物を能率よく剥離することができる上、剥離されたステッカや粘着物は、粘着テープの削りカスと共に固まりとなって脱落するようになる。これによって従来のゴムや樹脂により形成されたローラにより剥離する場合と異なり、微細な摩耗粉が周囲に飛散することがないため、作業環境が悪化により作業能率の低下や、飛散した摩耗粉が作業者の目や鼻、ロから体内に侵入して作業者の健康を損ねる等の従来の問題を解消することができる。
【発明を実施するための最良の形態】
【００１１】
本発明の実施の形態を、図面を参照して詳述する。
図１及び図２に示す粘着物剥離装置の本体１は、取り付け軸２と、この取り付け軸２の一端側に設けられた弾性体よりなる円筒状のテープ取り付け部材３及びテープ取り付け部材３を加圧する手段４とよりなる剥離部材取り付け手段とからなる。
取り付け軸２の一端側にはねじ部２ａが形成されていて、このねじ部２ａにゴムや合成樹脂により円筒状に形成されたテープ取り付け部材３の中心部が嵌挿されており、テープ取り付け部材３の両端面には、テープ取り付け部材３の外径とほぼ同径の座金により形成された一対の押圧板４ａが当接されている。
【００１２】
加圧手段４ａは前記押圧板４ａと、取り付け軸２のねじ部２ａに螺合された一対のナット４ｂより構成されていて、これらナット４ｂを締め付けて、一対の押圧手段４ａｂによりテープ取り付け部材３の端面を取り付け軸２の軸方向より加圧することにより、テープ取り付け部材３の外周面を半径方向へ膨張できるようになっている。
なお作業中ナット４ｂが緩まないようダブルナットにしたり、取り付け軸２のねじ部２ａを回転駆動手段の回転方向に対して逆ねじにして、取り付け軸２の回転に伴いナット４ｂが締め付けられるようにしてもよい。
【００１３】
一方車体等に接着されたステッカや、内外装材を車体より取り外した後に車体に残留する粘着物を剥離する剥離部材５は、筒状の芯体５ａとこの芯体５ａの外周にロール状に巻かれた粘着テープ５ｂよりなる。
芯体５ａは内径が前記テープ取り付け部材３の外径よりやや大きく形成されていて、芯体５ａ内にテープ取り付け部材３を容易に挿入できるようになっていると共に、加圧手段４によりテープ取り付け部材３を軸方向より加圧して、取り付け部材３の外周面を半径方向へ膨張させた場合、芯体５ａの内面がテープ取り付け部材３の外周面に密着して、両者の摩擦力によりテープ取り付け部材３に対して剥離部材５が空転しないようになっている。
また粘着テープ５ｂには、車体に焼き付け塗装をする場合に使用するマスキングテープか、同等品が使用されている。
【００１４】
マスキングテープは、焼き付け塗装する際の高温にも耐えられるように、和紙により形成されたテープ素材の少なくとも片面に耐熱性を有するアクリル系接着剤を塗布して粘着テープ５ｂを形成したもので、１００°Ｃ以上の高温にも耐えられるようになっている。
また既製のマスキングテープは、幅が例えば６ｍｍ、１５ｍｍ、２４ｍｍ、３０ｍｍのように規格化されており、これら規格に合わせて、剥離部材５を取り付ける取り付け部材３の長さも、ほぼ６ｍｍ、１５ｍｍ、２４ｍｍ、３０ｍｍのものが予め用意されている。
【００１５】
次に前記構成された粘着物剥離装置の作用を説明する。
車体に貼されたステッカやシールは、容易に剥離できないように合成樹脂系の接着剤により強固に車体に接着されており、車体の内側に取り付けられた内装材、車体の外側に取り付けられたモールやサイドバイザ等の外装材は、合成樹脂系の接着剤により強固に車体に接着されている。
このため車体を修理する際などにステッカやシールを剥離しようとしても容易に剥離することができない上、無理に剥離しようとすると、車体や塗装を損傷する虞があると共に、車体に接着された内外装材を取り外した場合も、車体側に接着剤が粘着物として残るため、この粘着物も除去する必要があるが、粘着物は既に硬化しているため容易に除去することができない。
【００１６】
これら粘着物の除去に当たっては、まず電動ドリルやエアドリルのように手で持って作業が可能な回転駆動手段を利用して、回転駆動手段のチャック（ともに図示せず）に本体１の取り付け軸２を取り付け、取り付け軸２に設けられたテープ取り付け部材３に、作業に合わせて選択した幅の剥離部材５を取り付ける。
そして加圧手段４の各ナット４ｂを締め上げて、押圧板４ａによりテープ取り付け部材３を軸方向より加圧し、テープ取り付け部材３の外周面を半径方向へ膨張させることにより、テープ取り付け部材３に対して剥離部材５を強固に取り付ける。
【００１７】
次にこの状態で回転駆動手段により取り付け軸２を回転させて、剥離部材５の外周面を剥離すべきステッカや、車体に固着した粘着物に押し当てるもので、剥離部材５の回転に伴いステッカや粘着物を剥離部材５の間に摩擦熱が発生してステッカの接着剤や粘着物を軟化させる。
同時に摩擦力により粘着テープ５ｂのテープ部分が削りカスとなって粘着テープ５ｂより脱落し、残った粘着面がステッカの軟化した接着剤や粘着物と結合して、車体より剥離すると共に、剥離されたステッカや粘着物は、テープの削りカスと共に固まりとなって脱落するため、従来のゴムや樹脂により形成されたローラにより剥離する場合と異なり、微細な摩耗粉が周囲に飛散することがない。
これによって作業環境が悪化することがないと共に、摩耗粉を作業者が吸い込む心配もないため作業者の健康を損なわれる心配もない。
【００１８】
またステッカの剥離や粘着物の除去が進むのに伴い粘着テープ５ｂは摩耗して外径が減少するので、粘着テープ５ｂがほとんどなくなったら、一旦作業を中断して粘着テープ５ｂを新たな粘着テープ５ｂと交換することにより、引き続き作業が続行できるため、車体の広い範囲に貼着されたステッカや、車体の広い範囲に残留する粘着物でも効率よく剥離除去することができるようになる。
そしてステッカや粘着物の除去が終了した際、車体に粘着テープの粘着剤や削りカス等が残留している場合は、ウエスにシリコンオフ等の揮発性液体を含ませて拭き取ればよい。
【００１９】
なお、作業の内容等により取り付け軸２の先端に螺装されたナット４ｂが車体を損傷する心配がある場合は、図３に示すようにナット４ｂが剥離部材５の端面より突出しないように、予め粘着テープ５ｂの幅より長さの短いテープ取り付け部材３に粘着テープ５ｂを取り付けて作業すればよい。
【００２０】
一方図４はテープ取り付け部材３の変形例を示すもので、この変形例では、テープ取り付け部材３をテーパ形状の２部材３ａ、３ｂより形成して、小径側端部が互いに対向するように取り付け軸２に取り付けた構造となっており、各テープ取り付け部材３ａ、３ｂのテーパ面３ｃで剥離部材５の芯体５ａ端部を支持する構造となっている。
前記変形例になる粘着物剥離装置による粘着物の除去方法は、前記実施の形態と同様なので説明は省略するが、各テープ取り付け部材３ａ、３ｂの間隔を調整することにより、芯材５ａの内径が異なる剥離部材５にも対応することができる。
【００２１】
また第５図及び第６図は粘着物剥離装置の別の変形例を示すもので、この変形例では、加圧手段４の押庄板４ａの内面、すなわちテープ取り付け部材３の端面と当接する面に複数の突起４ｃを突設して、ナット４ｂを締め付けた際これら突起４ｃがテープ取り付け部材３の端面に食い込むようにしている。
さらにテープ取り付け部材３の両端面の角部を面取りして、面取り面３ｄを形成すると共に、テープ取り付け部材３の外周面に、取り付け軸２と平行する紬線方向に複数本の凹溝３ｅを円周方向に間隔を存して形成している。
前記変形例になる粘着物剥離装置による粘着物の除去方法も、前記実施の形態と同様なので説明は省略するが、加圧手段４のナット４ｂを締め付けた際、押庄板４ａより突設した突起４ｃがテープ取り付け部材３の端面に食い込むため、押圧板４ａとテープ取り付け部材３の間に滑りが生じることがない。
【００２２】
またテープ取り付け部材３の両端側に面取り面３ｄを形成した上、外周面に複数本の凹溝３ｅを形成したことにより、加圧手段４によりテープ取り付け部材３を加圧した際、テープ取り付け部材３が径方向へ膨張しやすくなるため、テープ取り付け部材３の外周面と剥離部材５の芯材５ａ内周面との接触面圧が上がって、テープ取り付け部材３より剥離部材５が外れにくくなることから、作業時の安全性が向上すると共に、剥離部材５を交換するためナット４ｂを緩めた際、テープ取り付け部材３が元の径に瞬時に収縮するため、剥離部材５を交換する作業が短時間で能率よく行えるようになる。
【００２３】
さらにテープ取り付け部材３の外周面に紬線方向に形成した複数の凹溝３ｅによって、テープ取り付け部材３の外周面と剥離部材５の芯材５ａの接触面積が少なくなる上、空気が侵入しやすくなるため、テープ取り付け部材３に剥離部材５をセットした状態で長期間放置しても、テープ取り付け部材３より剥離部材５が取り外ずせなくなることもない。
【００２４】
なお前記実施の形態及び変形例では、剥離部材５に紙テープよりなる粘着テープ５ｂを使用した例について説明したが、耐熱性があれば布テープや不織布テープ、樹脂テープ、コルクや皮等のシートをテープ状にしたものを使用してもよい。
【図面の簡単な説明】
【００２５】
【図１】本発明の実施の形態になる粘着物剥離除去装置の斜視図である。
【図２】本発明の実施の形態になる粘着物剥離除去装置の断面図である。
【図３】本発明の実施の形態になる粘着物剥離除去装置の使用例を示す断面図である。
【図４】本発明の実施の形態になる粘着物剥離除去装置の変形例を示す断面図である。
【図５】本発明の実施の形態になる粘着物剥離除去装置の変形例を示す分解斜視図である。
【図６】本発明の実施の形態になる粘着物剥離除去装置の変形例を示す断面図である。
【符号の説明】
【００２６】
２    取り付け軸
２ａ    ねじ部
３    テープ取り付け部材
３ａ    テープ取り付け部材
３ｂ    テープ取り付け部材
４    加圧手段
４ａ    押圧板
４ｂ    ナット
５    剥離部材
【図１】
0003929463.tif 000002
【図２】
0003929463.tif 000003
【図３】
0003929463.tif 000004
【図４】
0003929463.tif 000005
【図５】
0003929463.tif 000006
【図６】
0003929463.tif 000007